【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】  位置情報と前記位置情報が得られた時刻を表す第１の時刻情報とを関連付けて第１の記憶装置に記憶する第１の記憶ステップと、
画像情報と前記画像情報が得られた時刻を表す第２の時刻情報とを関連付けて第２の記憶装置に記憶する第２の記憶ステップと、
前記第２の記憶ステップの処理で記憶された前記第２の時刻情報と最も近い前記第１の時刻情報を検索し、その検索された前記第１の時刻情報に対応する前記位置情報を、前記第２の時刻情報に対応する画像情報と関連付ける関連付けステップと
を含むことを特徴とする情報処理方法。
【請求項２】  前記画像情報は、静止画像または動画像の情報である
ことを特徴とする請求項１に記載の情報処理方法。
【請求項３】  前記位置情報と前記第１の時刻情報は、GPS衛星から出力された信号により得られる
ことを特徴とする請求項１に記載の情報処理方法。
【請求項４】  位置情報と前記位置情報が得られた時刻を表す第１の時刻情報とを関連付けて記憶する第１の記憶手段と、
画像情報と前記画像情報が得られた時刻を表す第２の時刻情報とを関連付けて記憶する第２の記憶手段と、
前記第２の記憶手段で記憶された前記第２の時刻情報と最も近い前記第１の時刻情報を検索し、その検索された前記第１の時刻情報に対応する前記位置情報を、前記第２の時刻情報に対応する画像情報と関連付ける関連付け手段と
を含むことを特徴とする情報処理装置。
【請求項５】  位置情報と前記位置情報が得られた時刻を表す第１の時刻情報とを関連付けて第１の記憶装置に記憶する制御を行う第１の記憶制御ステップと、
画像情報と前記画像情報が得られた時刻を表す第２の時刻情報とを関連付けて第２の記憶装置に記憶する制御を行う第２の記憶ステップと、
前記第２の記憶ステップの処理で記憶された前記第２の時刻情報と最も近い前記第１の時刻情報を検索し、その検索された前記第１の時刻情報に対応する前記位置情報を、前記第２の時刻情報に対応する画像情報と関連付けさせる関連ステップと
からなることを特徴とするプログラムを情報処理装置に実行させるプログラム格納媒体。
【請求項６】  位置データと時刻データが関連付けられたログデータを記憶している装置から、前記ログデータを読み出す指示を入力する入力手段と、
前記入力手段から前記指示が入力された場合、前記ログデータを前記装置から読み出す読み出し手段と、
前記読み出し手段により読み出された前記ログデータのうちの前記位置データに基づく位置を電子地図上にプロットするプロット手段と
を含むことを特徴とする情報処理装置。
【請求項７】  前記読み出し手段により読み出された前記ログデータのうちの、前記時刻データを基に、前記ログデータを時刻順にソートするソート手段をさらに備え、
前記プロット手段は、前記ソート手段によりソートされた前記ログデータの順に、前記位置データに基づく位置を前記電子地図上にプロットする
ことを特徴とする請求項６に記載の情報処理装置。
【請求項８】  位置データと時刻データが関連付けられたログデータを記憶している装置から、前記ログデータを読み出す指示を入力する入力ステップと、
前記入力ステップの処理で前記指示が入力された場合、前記ログデータを前記装置から読み出す読み出しステップと、
前記読み出しステップの処理で読み出された前記ログデータのうちの前記位置データに基づく位置を電子地図上にプロットするプロットステップと
を含むことを特徴とする情報処理方法。
【請求項９】  位置データと時刻データが関連付けられたログデータを記憶している装置から、前記ログデータを読み出す指示を入力する入力ステップと、
前記入力ステップの処理で前記指示が入力された場合、前記ログデータを前記装置から読み出す読み出しステップと、
前記読み出しステップの処理で読み出された前記ログデータのうちの前記位置データに基づく位置を電子地図上にプロットするプロットステップと
からなることを特徴とするプログラムを情報処理装置に実行させるプログラム格納媒体。
【手続補正２】
【補正対象書類名】明細書
【補正対象項目名】０００７
【補正方法】変更
【補正の内容】
【０００７】
【課題を解決するための手段】
請求項１に記載の情報処理方法は、位置情報と位置情報が得られた時刻を表す第１の時刻情報とを関連付けて第１の記憶装置に記憶する第１の記憶ステップと、画像情報と画像情報が得られた時刻を表す第２の時刻情報とを関連付けて第２の記憶装置に記憶する第２の記憶ステップと、第２の記憶ステップの処理で記憶された第２の時刻情報と最も近い第１の時刻情報を検索し、その検索された第１の時刻情報に対応する位置情報を、第２の時刻情報に対応する画像情報と関連付ける関連付けステップとを含むことを特徴とする。
【手続補正３】
【補正対象書類名】明細書
【補正対象項目名】０００８
【補正方法】変更
【補正の内容】
【０００８】
前記画像情報は、静止画像または動画像の情報であるようにすることができる。
【手続補正４】
【補正対象書類名】明細書
【補正対象項目名】０００９
【補正方法】変更
【補正の内容】
【０００９】
前記位置情報と第１の時刻情報は、GPS衛星から出力された信号により得られるようにすることができる。
【手続補正５】
【補正対象書類名】明細書
【補正対象項目名】００１０
【補正方法】変更
【補正の内容】
【００１０】
請求項４に記載の情報処理装置は、位置情報と位置情報が得られた時刻を表す第１の時刻情報とを関連付けて記憶する第１の記憶手段と、画像情報と画像情報が得られた時刻を表す第２の時刻情報とを関連付けて記憶する第２の記憶手段と、第２の記憶手段で記憶された第２の時刻情報と最も近い第１の時刻情報を検索し、その検索された第１の時刻情報に対応する位置情報を、第２の時刻情報に対応する画像情報と関連付ける関連付け手段とを含むことを特徴とする。
【手続補正６】
【補正対象書類名】明細書
【補正対象項目名】００１１
【補正方法】変更
【補正の内容】
【００１１】
請求項５に記載のプログラム格納媒体のプログラムは、位置情報と位置情報が得られた時刻を表す第１の時刻情報とを関連付けて第１の記憶装置に記憶する制御を行う第１の記憶制御ステップと、画像情報と画像情報が得られた時刻を表す第２の時刻情報とを関連付けて第２の記憶装置に記憶する制御を行う第２の記憶ステップと、第２の記憶ステップの処理で記憶された第２の時刻情報と最も近い第１の時刻情報を検索し、その検索された第１の時刻情報に対応する位置情報を、第２の時刻情報に対応する画像情報と関連付けさせる関連ステップとからなることを特徴とする。
【手続補正７】
【補正対象書類名】明細書
【補正対象項目名】００１２
【補正方法】変更
【補正の内容】
【００１２】
請求項６に記載の情報処理装置は、位置データと時刻データが関連付けられたログデータを記憶している装置から、ログデータを読み出す指示を入力する入力手段と、入力手段から指示が入力された場合、ログデータを装置から読み出す読み出し手段と、読み出し手段により読み出されたログデータのうちの位置データに基づく位置を電子地図上にプロットするプロット手段とを含むことを特徴とする。
【手続補正８】
【補正対象書類名】明細書
【補正対象項目名】００１３
【補正方法】変更
【補正の内容】
【００１３】
読み出し手段により読み出されたログデータのうちの、時刻データを基に、ログデータを時刻順にソートするソート手段をさらに備え、プロット手段は、ソート手段によりソートされたログデータの順に、位置データに基づく位置を電子地図上にプロットするようにすることができる。
【手続補正９】
【補正対象書類名】明細書
【補正対象項目名】００１４
【補正方法】変更
【補正の内容】
【００１４】
請求項８に記載の情報処理方法は、位置データと時刻データが関連付けられたログデータを記憶している装置から、ログデータを読み出す指示を入力する入力ステップと、入力ステップの処理で指示が入力された場合、ログデータを装置から読み出す読み出しステップと、読み出しステップの処理で読み出されたログデータのうちの位置データに基づく位置を電子地図上にプロットするプロットステップとを含むことを特徴とする。
【手続補正１０】
【補正対象書類名】明細書
【補正対象項目名】００１５
【補正方法】変更
【補正の内容】
【００１５】
請求項９に記載のプログラム格納媒体のプログラムは、位置データと時刻データが関連付けられたログデータを記憶している装置から、ログデータを読み出す指示を入力する入力ステップと、入力ステップの処理で指示が入力された場合、ログデータを装置から読み出す読み出しステップと、読み出しステップの処理で読み出されたログデータのうちの位置データに基づく位置を電子地図上にプロットするプロットステップとからなることを特徴とする。
【手続補正１１】
【補正対象書類名】明細書
【補正対象項目名】００１６
【補正方法】変更
【補正の内容】
【００１６】
請求項１に記載の情報処理方法、請求項４に記載の情報処理装置、および請求項５に記載のプログラム格納媒体においては、位置情報と位置情報が得られた時刻を表す第１の時刻情報とが関連付けられて記憶され、画像情報と画像情報が得られた時刻を表す第２の時刻情報とが関連付けられて記憶され、第２の時刻情報と最も近い第１の時刻情報を検索し、その検索された第１の時刻情報に対応する位置情報を、第２の時刻情報に対応する画像情報とが関連付けられる。
【手続補正１２】
【補正対象書類名】明細書
【補正対象項目名】００１７
【補正方法】変更
【補正の内容】
【００１７】
請求項６に記載の情報処理装置、請求項８に記載の情報処理方法、および請求項９に記載のプログラム格納媒体においては、位置データと時刻データが関連付けられたログデータを記憶している装置から、ログデータを読み出す指示が入力された場合、ログデータが読み出され、読み出されたログデータのうちの位置データに基づく位置が電子地図上にプロットされる。
【手続補正１３】
【補正対象書類名】明細書
【補正対象項目名】０１６５
【補正方法】変更
【補正の内容】
【０１６５】
【発明の効果】
以上の如く請求項１に記載の情報処理方法、請求項４に記載の情報処理装置、および請求項５に記載のプログラム格納媒体によれば、位置情報と位置情報が得られた時刻を表す第１の時刻情報とを関連付けて記憶し、画像情報と画像情報が得られた時刻を表す第２の時刻情報とを関連付けて記憶し、第２の時刻情報と最も近い第１の時刻情報を検索し、その検索された第１の時刻情報に対応する位置情報を、第２の時刻情報に対応する画像情報と関連付けるようにしたので、ユーザが画像情報の編集などを簡便に行うことが可能となる。
【手続補正１４】
【補正対象書類名】明細書
【補正対象項目名】０１６６
【補正方法】変更
【補正の内容】
【０１６６】
以上の如く請求項６に記載の情報処理装置、請求項８に記載の情報処理方法、および請求項９に記載のプログラム格納媒体によれば、位置データと時刻データが関連付けられたログデータを記憶している装置から、ログデータを読み出す指示が入力された場合、ログデータを読み出し、読み出されたログデータのうちの位置データに基づく位置を電子地図上にプロットするようにしたので、ユーザが所望としたときに、軌跡を表示させることが可能となる。